(57)【要約】【課題】部品実装基板や部品内蔵基板等に用いるときに高さ方向向きを制御する必要がなく、しかも、実装時や内蔵後に第１外部電極と第２外部電極とに短絡を生じることがない積層型電子部品を提供する【解決手段】積層コンデンサのコンデンサ本体１１の高さ方向一面に存する第１外部電極１２の一方の主電極部１２ａと高さ方向他面に存する第２外部電極１３の他方の主電極部１３ａは部分的に対向し、コンデンサ本体１１の高さ方向一面に存する第２外部電極１３の一方の主電極部１３ａと高さ方向他面に存する第１外部電極１２の他方の主電極部１２ａは部分的に対向しており、各々の対向領域ＯＲとコンデンサ本体１１の高さ方向両面の各端縁との間には略帯状の余白領域ＭＲ１〜ＭＲ４が存在している。【選択図】図４
2016086105.tif 000002
【特許請求の範囲】
【請求項１】
長さと幅と高さとで規定された略直方体状を成す積層構造の部品本体に、使用時の極性が異なる第１外部電極と第２外部電極を設けた積層型電子部品であって、
（１）前記第１外部電極は互いが導通している２つの主電極部を有し、一方の主電極部は前記部品本体の高さ方向一面の第１の角に近い位置に存在し、他方の主電極部は前記第１の角と前記部品本体の高さ方向一面において隣接する第２の角の裏側に位置する高さ方向他面の第３の角に近い位置に存在しており、
（２）前記第２外部電極は互いが導通している２つの主電極部を有し、一方の主電極部は前記第１の角と前記部品本体の高さ方向一面において向き合う第４の角に近い位置に存在し、他方の主電極部は前記第４の角と前記部品本体の高さ方向一面において隣接する第５の角の裏側に位置する高さ方向他面の第６の角に近い位置に存在しており、
（３）前記部品本体の高さ方向一面に存する前記第１外部電極の一方の主電極部と、該部品本体の高さ方向他面に存する前記第２外部電極の他方の主電極部は前記部品本体を介して部分的に対向していて、前記第１外部電極の一方の主電極部の対向領域と、前記第１の角と前記第５の角を結ぶ端縁との間には第１の余白領域が存在し、且つ、前記第２外部電極の他方の主電極部の対向領域と、前記第６の角と前記第１の角の裏側に位置する高さ方向他面の第７の角を結ぶ端縁との間には第２の余白領域が存在しており、
（４）前記部品本体の高さ方向一面に存する前記第２外部電極の一方の主電極部と、該部品本体の高さ方向他面に存する前記第１外部電極の他方の主電極部は前記部品本体を介して部分的に対向していて、前記第２外部電極の一方の主電極部の対向領域と、前記第２の角と前記第４の角とを結ぶ端縁との間には第３の余白領域が存在し、且つ、前記第１外部電極の他方の主電極部の対向領域と、前記第３の角と前記第４の角の裏側に位置する高さ方向他面の第８の角を結ぶ端縁との間には第４の余白領域が存在している、
積層型電子部品。
【請求項２】
前記第１の余白領域と前記第２の余白領域と前記第３の余白領域と前記第４の余白領域は、各々の離隔寸法が同等である、
請求項１に記載の積層型電子部品。
【請求項３】
前記部品本体は、幅＞長さ＞高さの条件を満足しており、
前記部品本体の長さ方向一端部を覆うように前記第１外部電極の一方の主電極部と他方の主電極部とを導通させるための部位が形成され、
前記部品本体の長さ方向他端部を覆うように前記第２外部電極の一方の主電極部と他方の主電極部とを導通させるための部位が形成されている、
請求項１又は２に記載の積層型電子部品。
【発明の詳細な説明】
【技術分野】
【０００１】
本発明は、長さと幅と高さとで規定された略直方体状を成す積層構造の部品本体に、使用時の極性が異なる第１外部電極と第２外部電極を設けた積層型電子部品に関する。
【背景技術】
【０００２】
前記積層型電子部品として、後記特許文献１には、表裏向き（高さ方向向き）の考慮を不要とした積層型電子部品（以下、従前部品と言う）が開示されている。この従前部品は、長さと幅と高さとで規定された略直方体状を成す積層構造の部品本体を有していて、該部品本体の高さ方向一面の１つのコーナーに第１外部電極が配置され、且つ、該コーナーと対角に位置するコーナーに第２外部電極が配置されていると共に、高さ方向他面の前記１つのコーナーの真裏のコーナーの隣に位置するコーナーに第１外部電極が配置され、且つ、該コーナーと対角に位置するコーナーに第２外部電極が配置されている。即ち、第１外部電極と第２外部電極の区別を問わなければ、積層型電子部品の高さ方向一面が上を向いたときの２つの外部電極の位置と、積層型電子部品の高さ方向他面が上を向いたときの２つの外部電極の位置とが略同じになる。しかしながら、従前部品を昨今の小型化及び薄型化の要求に対応させようとすると、以下のような懸念が生じ得る。
【０００３】
即ち、従前部品は、後記特許文献１の図３及び図５から明らかなように、部品本体の高さ方向一面に配置された第１外部電極と部品本体の高さ方向他面に配置された第２外部電極とが部品本体を介して部分的に対向しており、部品本体の高さ方向一面に配置された第２外部電極と部品本体の高さ方向他面に配置された第１外部電極とが部品本体を介して部分的に対向しており、各々の対応部分は何れも部品本体の高さ方向一面の端縁又は高さ方向他面の端縁に達している。
【０００４】
つまり、各外部電極の作製方法を勘案すると、部品本体の高さ方向一面に配置された第１外部電極の対向部分と部品本体の高さ方向他面に配置された第２外部電極の対向部分との最短距離、並びに、部品本体の高さ方向一面に配置された第２外部電極の対向部分と部品本体の高さ方向他面に配置された第１外部電極の対向部分との最短距離は、何れも部品本体の高さ以下となってしまう。これら最短距離は前記の小型化及び薄型化に伴って部品本体の高さが低くなるほど近くなる。具体例を挙げて説明すれば、部品本体の高さを１００μｍとした場合には、前記の最短距離は１００μｍ以下となる。
【０００５】
依って、前記の小型化及び薄型化に伴って従前部品の部品本体の高さを低くし、該部品本体の高さ方向一面又は高さ方向他面の第１外部電極及び第２外部電極を部品実装基板や部品内蔵基板等の導体パッドにハンダを用いて実装すると、実装時のハンダの飛散や濡れ上がり等に起因して生成されるブリッジによって第１外部電極の対向部分と第２外部電極の対向部分とが導通して、第１外部電極と第２外部電極とが短絡する可能性が高い。また、前記の小型化及び薄型化に伴って従前部品の部品本体の高さを低くし、該部品本体の高さ方向一面又は高さ方向他面の第１外部電極及び第２外部電極に導体ビアを接続して従前部品を部品内蔵基板に内蔵すると、内蔵後に、部品封止樹脂に含まれる水分に起因するマイグレーションの生成物によって第１外部電極の対向部分と第２外部電極の対向部分とが導通して、第１外部電極と第２外部電極とが短絡する可能性が高い。
【先行技術文献】
【特許文献】
【０００６】
【特許文献１】特開２０１４−１３８１７２号公報
【発明の概要】
【発明が解決しようとする課題】
【０００７】
本発明の課題は、部品実装基板や部品内蔵基板等に用いるときに高さ方向向きを制御する必要がなく、しかも、実装時や内蔵後に第１外部電極と第２外部電極とに短絡を生じることがない積層型電子部品を提供することにある。
【課題を解決するための手段】
【０００８】
前記課題を解決するため、本発明は、長さと幅と高さとで規定された略直方体状を成す積層構造の部品本体に、使用時の極性が異なる第１外部電極と第２外部電極を設けた積層型電子部品であって、（１）前記第１外部電極は互いが導通している２つの主電極部を有し、一方の主電極部は前記部品本体の高さ方向一面の第１の角に近い位置に存在し、他方の主電極部は前記第１の角と前記部品本体の高さ方向一面において隣接する第２の角の裏側に位置する高さ方向他面の第３の角に近い位置に存在しており、（２）前記第２外部電極は互いが導通している２つの主電極部を有し、一方の主電極部は前記第１の角と前記部品本体の高さ方向一面において向き合う第４の角に近い位置に存在し、他方の主電極部は前記第４の角と前記部品本体の高さ方向一面において隣接する第５の角の裏側に位置する高さ方向他面の第６の角に近い位置に存在しており、（３）前記部品本体の高さ方向一面に存する前記第１外部電極の一方の主電極部と、該部品本体の高さ方向他面に存する前記第２外部電極の他方の主電極部は前記部品本体を介して部分的に対向していて、前記第１外部電極の一方の主電極部の対向領域と、前記第１の角と前記第５の角を結ぶ端縁との間には第１の余白領域が存在し、且つ、前記第２外部電極の他方の主電極部の対向領域と、前記第６の角と前記第１の角の裏側に位置する高さ方向他面の第７の角を結ぶ端縁との間には第２の余白領域が存在しており、（４）前記部品本体の高さ方向一面に存する前記第２外部電極の一方の主電極部と、該部品本体の高さ方向他面に存する前記第１外部電極の他方の主電極部は前記部品本体を介して部分的に対向していて、前記第２外部電極の一方の主電極部の対向領域と、前記第２の角と前記第４の角とを結ぶ端縁との間には第３の余白領域が存在し、且つ、前記第１外部電極の他方の主電極部の対向領域と、前記第３の角と前記第４の角の裏側に位置する高さ方向他面の第８の角を結ぶ端縁との間には第４の余白領域が存在している。
【発明の効果】
【０００９】
本発明によれば、部品実装基板や部品内蔵基板等に用いるときに高さ方向向きを制御する必要がなく、しかも、実装時や内蔵後に第１外部電極と第２外部電極とに短絡を生じることがない積層型電子部品を提供することができる。
【図面の簡単な説明】
【００１０】
【図１】図１（Ａ）は本発明を適用した積層コンデンサをコンデンサ本体の高さ方向一面から見た図、図１（Ｂ）は同積層コンデンサをコンデンサ本体の高さ方向他面から見た図である。
【図２】図２（Ａ）は図１（Ａ）のＳ１−Ｓ１に沿う断面図、図２（Ｂ）は図２（Ａ）の部分拡大図である。
【図３】図３（Ａ）は図１（Ａ）のＳ２−Ｓ２に沿う拡大断面図、図３（Ｂ）は図１（Ａ）のＳ３−Ｓ３に沿う拡大断面図である。
【図４】図４は図１に示した第１外部電極と第２外部電極の位置関係を説明するための図である。
【図５】図５は図１に示した第１外部電極と第２外部電極の作製方法を説明するための図である。
【図６】図６は図１に示した第１外部電極と第２外部電極の作製方法を説明するための図である。
【図７】図７は図１に示した第１外部電極と第２外部電極の第１変形例を示す図４対応図である。
【図８】図８は図１に示した第１外部電極と第２外部電極の第２変形例を示す図４対応図である。
【図９】図９は図１に示した第１外部電極と第２外部電極の第３変形例を示す図４対応図である。
【図１０】図１０は図１に示した第１外部電極と第２外部電極の第４変形例を示す図４対応図である。
【発明を実施するための形態】
【００１１】
先ず、図１〜図３を引用して、本発明を適用した積層コンデンサの構造について説明する。
【００１２】
この積層コンデンサは、長さと幅と高さとで規定された略直方体状を成す積層構造の部品本体１１に、使用時の極性が異なる第１外部電極１２と第２外部電極１３を設けて構成されており、全体として幅Ｗ＞長さＬ＞高さＨの条件を満足している。因みに、図１（Ｂ）は、図１（Ａ）に示した積層コンデンサを長さ方向中央を通る線を中心として１８０度回転させたものである。また、図１〜図３に示した積層コンデンサの幅Ｗと長さＬと高さＨは、例えば１０００μｍと５００μｍと１００μｍ（何れも公差を含まない基準寸法）である。
【００１３】
コンデンサ本体１１は、積層コンデンサと同様に幅＞長さ＞高さの条件を満足していて、計８つの角（第１の角Ｃ１〜第８の角Ｃ８）を有している。ここでは、図１（Ａ）に示したようにコンデンサ本体１１の高さ方向一面の左下の角を第１の角Ｃ１と称し、右下の角を第２の角Ｃ２と称し、右上の角を第４の角Ｃ４と称し、左上の角を第５の角Ｃ４と称する一方、図１（Ｂ）に示したようにコンデンサ本体１１の高さ方向他面の左下の角を第６の角Ｃ６と称し、右下の角を第８の角Ｃ８と称し、右上の角を第３の角Ｃ４と称し、は左上の角を第７の角Ｃ７と称する。
【００１４】
また、コンデンサ本体１１の内部には、複数（図２及び図３では便宜上８層を表示）の内部電極層１１ａが高さ方向に間隔を置き、且つ、長さ方向に交互にずれるように配置されている。各内部電極層１１ａは長さと幅とで規定された略矩形状を成していて、各々の長さと幅はコンデンサ本体１１の長さと幅よりも小さく、且つ、幅＞長さの条件を満足している。高さ方向一面から奇数番目の内部電極層１１ｃはその長さ方向一端縁（図１（Ａ）の下側端縁）を第１外部電極１２に電気的に接続され、高さ方向一面から偶数番目の内部電極層１１ｃはその長さ方向他端縁（図１（Ａ）の上側端縁）を第２外部電極１３に電気的に接続されている。
【００１５】
前記のコンデンサ本体１１には、好ましくはチタン酸バリウム、チタン酸ストロンチウム、チタン酸カルシウム、チタン酸マグネシウム、ジルコン酸カルシウム、チタン酸ジルコン酸カルシウム、ジルコン酸バリウム、酸化チタン等を主成分とした誘電体セラミックス、より好ましくはε＞１０００又はクラス２（高誘電率系）の誘電体セラミックスが使用されている。また、前記の各内部電極層１１ａには、好ましくはニッケル、銅、パラジウム、白金、銀、金、これらの合金等を主成分した良導体が使用されている。
【００１６】
第１外部電極１２は、コンデンサ本体１１の高さ方向一面の第１の角Ｃ１に近い位置と高さ方向他面の第３の角Ｃ３に近い位置に存する略矩形状の２つの主電極部１２ａと、該２つの主電極部１２ａを導通させるためにコンデンサ本体１１の長さ方向一端部（図１（Ａ）の下側端部）を覆うようにして形成された部位（符号無し）とを連続して有している。この部位は、コンデンサ本体１１の高さ方向両面の長さ方向一端部に該一端部に沿って存する略矩形状の２つの第１回り込み部１２ｂと、コンデンサ本体１１の幅方向両面の長さ方向一端部に該一端部に沿って存する略矩形状の２つの第２回り込み部１２ｃと、コンデンサ本体１１の長さ方向一面（図１（Ａ）の下側面）に存する略矩形状の１つの端面部１２ｄとの連続物である。
【００１７】
各主電極部１２ａの最大長さと第１回り込み部１２ｂの長さ（端面部１２ｄの厚さを含む）の和は、積層コンデンサの長さＬの１／２よりも大きい。また、各主電極部１２ａと後記第１回り込み部１３ｂとの最小間隔は、例えば積層コンデンサの長さＬが５００μｍ（公差を含まない基準寸法）の場合において好ましくは２５〜２００μｍの範囲内で設定されている。さらに、第１回り込み部１２ｂの長さ及び第２回り込み部１２ｃの長さは、例えば積層コンデンサの長さＬが５００μｍ（公差を含まない基準寸法）の場合において好ましくは１〜１７５μｍの範囲内で設定されている。
【００１８】
さらに、コンデンサ本体１１の高さ方向一面の主電極部１２ａと、高さ方向一面の第１の角Ｃ１と第５の角Ｃ５を結ぶ端縁との間には、略帯状の第１の余白領域ＭＲ１が存在すると共に、コンデンサ本体１１の高さ方向他面の主電極部１２ａと、高さ方向他面の第１の角Ｃ３と第８の角Ｃ８を結ぶ端縁との間には、略帯状の第４の余白領域ＭＲ４が存在する。これら余白領域ＭＲ１及びＭＲ４の離隔寸法Ｄｍｒ（図２（Ｂ）を参照）は同等であり、例えば積層コンデンサの高さＨが１００μｍ（公差を含まない基準寸法）の場合において好ましくは１〜２５０μｍの範囲内で設定されている。
【００１９】
図２及び図３から分かるように、第１外部電極１２は、第１下地層ＧＬ１と第２下地層ＧＬ２との連続層と、該連続層の表面を覆う導体層ＣＬとの２層構造である。第１下地層ＧＬ１及び第２下地層ＧＬ２と導体層ＣＬには、好ましくはニッケル、銅、パラジウム、白金、銀、金、チタン、スズ、亜鉛、これらの合金等を主成分した良導体が使用されている。第１下地層ＧＬ１の主成分と第２下地層ＧＬ２の主成分と導体層ＣＬの主成分は異なっていても良いし、同じであっても良い。因みに、第１外部電極１２の作製方法については後に詳述する。
【００２０】
一方、第２外部電極１３は、コンデンサ本体１１の高さ方向一面の第４の角Ｃ４に近い位置と高さ方向他面の第６の角Ｃ６に近い位置に存する略矩形状の２つの主電極部１３ａと、該２つの主電極部１３ａを導通させるためにコンデンサ本体１１の長さ方向他端部（図１（Ａ）の上側端部）を覆うようにして形成された部位（符号無し）とを連続して有している。この部位は、コンデンサ本体１１の高さ方向両面の長さ方向他端部に該他端部に沿って存する略矩形状の２つの第１回り込み部１３ｂと、コンデンサ本体１１の幅方向両面の長さ方向他端部に該他端部に沿って存する略矩形状の２つの第２回り込み部１３ｃと、コンデンサ本体１１の長さ方向他面（図１（Ａ）の上側面）に存する略矩形状の１つの端面部１３ｄとの連続物である。
【００２１】
各主電極部１３ａの最大長さと第１回り込み部１３ｂの長さ（端面部１３ｄの厚さを含む）の和は、積層コンデンサの長さＬの１／２よりも大きい。また、各主電極部１３ａと前記第１回り込み部１２ｂとの最小間隔は、例えば積層コンデンサの長さＬが５００μｍ（公差を含まない基準寸法）の場合において好ましくは２５〜２００μｍの範囲内で設定されている。さらに、第１回り込み部１３ｂの長さと第２回り込み部１３ｃの長さは、例えば積層コンデンサの長さＬが５００μｍ（公差を含まない基準寸法）の場合において好ましくは１〜１７５μｍの範囲内で設定されている。
【００２２】
さらに、コンデンサ本体１１の高さ方向一面の主電極部１３ａと、高さ方向一面の第１の角Ｃ２と第４の角Ｃ４を結ぶ端縁との間には、略帯状の第３の余白領域ＭＲ３が存在すると共に、コンデンサ本体１１の高さ方向他面の主電極部１３ａと、高さ方向他面の第６の角Ｃ６と第７の角Ｃ７を結ぶ端縁との間には、略帯状の第２の余白領域ＭＲ２が存在する。これら余白領域ＭＲ３及びＭＲ２の離隔寸法Ｄｍｒ（図２（Ｂ）を参照）は前記余白領域ＭＲ１及びＭＲ４の離隔寸法Ｄｍｒと同等であり、例えば積層コンデンサの高さＨが１００μｍ（公差を含まない基準寸法）の場合において好ましくは１〜２５０μｍの範囲内で設定されている。
【００２３】
図２及び図３から分かるように、第２外部電極１３は、前記第１外部電極１２と同様、第１下地層ＧＬ１と第２下地層ＧＬ２との連続層と、該連続層の表面を覆う導体層ＣＬとの２層構造である。第１下地層ＧＬ１及び第２下地層ＧＬ２と導体層ＣＬには、好ましくはニッケル、銅、パラジウム、白金、銀、金、チタン、スズ、亜鉛、これらの合金等を主成分した良導体が使用されている。第１下地層ＧＬ１の主成分と第２下地層ＧＬ２の主成分と導体層ＣＬの主成分は異なっていても良いし、同じであっても良い。因みに、第２外部電極１３の作製方法については後に詳述する。
【００２４】
ここで、図５及び図６を引用して、第１外部電極１２と第２外部電極１３の作製方法について説明する。
【００２５】
作製に際しては、先に述べたコンデンサ本体１１を用意すると共に、金属粉末と溶剤とバインダを少なくとも含む金属ペーストを用意する。そして、図５に示したように、ディップ塗布機やローラ塗布機等の塗布装置と乾燥装置を用いて、コンデンサ本体１１の長さ方向両端部に金属ペーストを塗布して乾燥し、続けて、スクリーン印刷機やグラビア印刷機等の印刷装置と乾燥装置を用いて、コンデンサ本体１１の高さ方向両面に前記金属ペーストを主金属部１２ａ及び１３ａに対応する形状で印刷して乾燥し、この後、金属粉末に対応した雰囲気下で塗布物を焼き付けて第１下地層ＧＬ１と第２下地層ＧＬ２とが連続した層を形成する。第１下地層ＧＬ１と第２下地層ＧＬ２の厚さは、好ましくは０．１〜１０μｍの範囲内で同等の値になるように設定されている。
【００２６】
そして、図６に示したように、電解メッキ装置やスパッタ装置や真空蒸着装置等の薄膜形成装置を用いて、第１下地層ＧＬ１と第２下地層ＧＬ２との連続層の表面に該表面を覆う導体膜ＣＬを形成する。導体膜ＣＬの厚さは、好ましくは０．１〜５μｍの範囲内で設定されている。このような作製方法を採用すれば、第１下地層ＧＬ１と第２下地層ＧＬ２との境界に顕著な段差や起伏は現れないし、導体膜ＣＬの主金属部１２ａ及び１３ａに対応する領域は略平坦になる。
【００２７】
次に、前述の第１外部電極１２と第２外部電極１３の位置関係と、該第１外部電極１２と第２外部電極１３を採用した積層コンデンサによって得られる効果について、図４を用いて詳述する。図４は、図１（Ａ）と同様に積層コンデンサをコンデンサ本体の高さ方向一面から見た図であるが、コンデンサ本体１１の輪郭を仮想線で描き、且つ、内部電極層１１ａの記載を省略してある。
【００２８】
（１）図４から分かるように、第１外部電極１２の一方の主電極部１２ａはコンデンサ本体１１の高さ方向一面の第１の角Ｃ１に近い位置に存在し、他方の主電極部１２ａは該第１の角Ｃ１と高さ方向一面において幅方向で隣接する第２の角Ｃ２の裏側に位置する高さ方向他面の第３の角Ｃ３に近い位置に存在しており、２つの主電極部１２ａは第１回り込み部１２ｂと第２回り込み部１２ｃと端面部１２ｄによって導通している。
【００２９】
また、図４から分かるように、第２外部電極１３の一方の主電極部１３ａは前記第１の角Ｃ１とコンデンサ本体１１の高さ方向一面において向き合う第４の角Ｃ４に近い位置に存在し、他方の主電極部１３ａは前記第４の角Ｃ４と高さ方向一面において幅方向で隣接する第５の角Ｃ５の裏側に位置する高さ方向他面の第６の角Ｃ６に近い位置に存在しており、２つの主電極部１３ａは第１回り込み部１３ｂと第２回り込み部１３ｃと端面部１３ｄによって導通している。
【００３０】
依って、図４に示した積層コンデンサを長さ方向中央を通る線を中心として１８０度回転させても（図１（Ｂ）を参照）、第１外部電極１２と第２外部電極１３の区別を問わなければ、計４つの主電極部１２ａ及び１３ａの位置関係は変わらない。また、図４に示した積層コンデンサを幅方向中央を通る線を中心として１８０度回転させた場合には、計４つの主電極部１２ａ及び１３ａの位置関係は図４と同じになる。つまり、積層コンデンサの第１外部電極１２と第２外部電極１３の極性は使用時において定まるものであるから、部品本体１１の高さ方向両面の向きに拘わらず、高さ方向一面又は高さ方向他面の主電極部１２ａ及び１３ａに対する導体パッドや導体ビアの接続を同じように行える。
【００３１】
要するに、積層コンデンサを部品実装基板や部品内蔵基板等に用いるときに高さ方向向きを制御する必要がないため、該向き制御を必要とする場合の工数を排除してコスト削減に貢献することができる。
【００３２】
（２）第１外部電極１２の２つの主電極部１２ａの最大長さと第１回り込み部１２ｂの長さ（端面部１２ｄの厚さを含む）の和と、第２外部電極１３の２つの主電極部１３ａの最大長さと第１回り込み部１３ｂの長さ（端面部１３ｄの厚さを含む）の和は、何れも積層コンデンサの長さＬの１／２よりも大きい。そのため、コンデンサ本体１１の高さ方向一面に存する第１外部電極１２の一方の主電極部１２ａと、該コンデンサ本体１１の高さ方向他面に存する第２外部電極１３の他方の主電極部１３ａは部分的に対向し（図４の左側に示した対向領域ＯＲを参照）、コンデンサ本体１１の高さ方向一面に存する第２外部電極１３の一方の主電極部１３ａと、該コンデンサ本体１１の高さ方向他面に存する第１外部電極１２の他方の主電極部１２ａは部分的に対向している（図４の右側に示した対向領域ＯＲを参照）。
【００３３】
また、コンデンサ本体１１の高さ方向一面に存する第１外部電極１２の一方の主電極部１２ａの対向領域ＯＲと、高さ方向一面の第１の角Ｃ１と第５の角Ｃ５を結ぶ端縁との間には略帯状の第１の余白領域ＭＲ１が存在し、且つ、コンデンサ本体１１の高さ方向他面に存する第２外部電極１３の他方の主電極部１３ａの対向領域ＯＲと、高さ方向他面の第６の角Ｃ６と第７の角Ｃ７を結ぶ端縁との間には略帯状の第２の余白領域ＭＲ２が存在している。同様に、コンデンサ本体１１の高さ方向一面に存する第２外部電極１３の一方の主電極部１３ａの対向領域ＯＲと、高さ方向一面の第２の角Ｃ２と第４の角Ｃ４を結ぶ端縁との間には略帯状の第３の余白領域ＭＲ３が存在し、且つ、コンデンサ本体１１の高さ方向他面に存する第１外部電極１２の他方の主電極部１２ａの対向領域ＯＲと、高さ方向他面の第３の角Ｃ３と第８の角Ｃ８を結ぶ端縁との間には略帯状の第４の余白領域ＭＲ４が存在している。
【００３４】
つまり、第１外部電極１２の一方の主電極部１２ａの対向領域ＯＲと第２外部電極１３の他方の主電極部１３ａの対向領域ＯＲとの最短距離は、コンデンサ本体１１の高さと第１の余白領域ＭＲ１の離隔寸法Ｄｍｒと第２の余白領域ＭＲ２の離隔寸法Ｄｍｒとの和となる。同様に、第２外部電極１３の一方の主電極部１３ａの対向領域ＯＲと第１外部電極１２の他方の主電極部１２ａの対向領域ＯＲとの最短距離は、コンデンサ本体１１の高さと第３の余白領域ＭＲ３の離隔寸法Ｄｍｒと第４の余白領域ＭＲ４の離隔寸法Ｄｍｒとの和となる。換言すれば、両最短距離は、コンデンサ本体１１の高さに沿う線分の長さのみで構成される訳ではなく、コンデンサ本体１１の高さに沿う線分の長さとコンデンサ本体１１の幅に沿う２つの線分の長さの和として構成される。
【００３５】
依って、小型化及び薄型化に伴って積層コンデンサのコンデンサ本体１１の高さを低くし、該コンデンサ本体１１の高さ方向一面又は高さ方向他面の主電極部１２ａ及び主電極部１３ａを部品実装基板や部品内蔵基板等の導体パッドにハンダを用いて実装する場合でも、実装時のハンダの飛散や濡れ上がり等に起因して主電極部１２ａの対向領域ＯＲと主電極部１３ａの対向領域ＯＲとが導通するようなブリッジは生成され難く、結果として第１外部電極１２と第２外部電極１３との短絡を防止することができる。また、前記の小型化及び薄型化に伴って積層コンデンサのコンデンサ本体１１の高さを低くし、該コンデンサ本体１１の高さ方向一面又は高さ方向他面の主電極部１２ａ及び主電極部１３ａに導体ビアを接続して積層コンデンサを部品内蔵基板に内蔵する場合でも、内蔵後に、部品封止樹脂に含まれる水分に起因するマイグレーションの生成物によって主電極部１２ａの対向領域ＯＲと主電極部１３ａの対向領域ＯＲとが導通され難く、結果として第１外部電極１２と第２外部電極１３との短絡を防止することができる。
【００３６】
（３）先に述べたように、第１の余白領域ＭＲ１の離隔寸法Ｄｍｒと第２の余白領域ＭＲ２の離隔寸法Ｄｍｒと第３の余白領域ＭＲ３の離隔寸法Ｄｍｒと第４の余白領域ＭＲ４の離隔寸法Ｄｍｒは何れも同等である。依って、積層コンデンサを部品実装基板や部品内蔵基板等に用いるときに高さ方向向きが異なった場合でも、前記（２）欄の後半で述べた効果を確実に得ることができる。
【００３７】
（４）先に述べたように、積層コンデンサのコンデンサ本体１１は幅＞長さ＞高さの条件を満足しており、該コンデンサ本体１１の長さ方向一端部を覆うように第１外部電極１２の一方の主電極部１２ａと他方の主電極部１２ａとを導通させるための部位（第１回り込み部１２ｂと第２回り込み部１２ｃと端面部１２ｄとの連続物）が形成され、また、該コンデンサ本体１１の長さ方向他端部を覆うように第２外部電極１３の一方の主電極部１３ａと他方の主電極部１３ａとを導通させるための部位（第１回り込み部１３ｂと第２回り込み部１３ｃと端面部１３ｄとの連続物）が形成されている。依って、コンデンサ本体１１が幅＞長さ＞高さの条件を満足する場合であっても、前記各部位によってコンデンサ本体１１の長さ方向一端部と長さ方向他端部の強度向上を確実に行えると共に、低ＥＳＬ化等の特性向上に貢献することができる。
【００３８】
尚、前述の実施形態では、２つの主電極部１２ａが略矩形状である第１外部電極１２と、２つの主電極部１３ａが略矩形状である第２外部電極１３を示したが、各主電極部１２ａと各主電極部１３ａの形状には特段の制限はない。以下に、各主電極部１２ａと各主電極部１３ａの形状を変えた第１外部電極１２と第２外部電極１３の変形例について幾つか紹介する。
【００３９】
〈第１変形例〉
図７に示した第１外部電極１２-1と第２外部電極１３-1は、各々の２つの主電極部１２ａと２つの主電極部１３ａの形状を略５角形状としたものである。この場合の対向領域ＯＲは何れも略５角形状となるが、前記実施形態と同様の効果を得ることができる。
【００４０】
〈第２変形例〉
図８に示した第１外部電極１２-2と第２外部電極１３-2は、各々の２つの主電極部１２ａと２つの主電極部１３ａの形状を略台形状としたものである。この場合の対向領域ＯＲは何れも略５角形状となるが、前記実施形態と同様の効果を得ることができる。
【００４１】
〈第３変形例〉
図９に示した第１外部電極１２-3と第２外部電極１３-3は、各々の２つの主電極部１２ａと２つの主電極部１３ａの形状を略Ｕ字状としたものである。この場合の対向領域ＯＲは何れも略円形状となるが、前記実施形態と同様の効果を得ることができる。
【００４２】
〈第４変形例〉
図１０に示した第１外部電極１２-4と第２外部電極１３-4は、各々の２つの主電極部１２ａと２つの主電極部１３ａの形状を略三角形状としたものである。この場合の対向領域ＯＲは略三角形状となるが、前記実施形態と同様の効果を得ることができる。
【００４３】
また、前述の実施形態と各変形例では、２層構造の第１外部電極１２と第２外部電極１３を示したが、導体層ＳＬ１の表面に別の導体層を１層形成して３層構造としても良いし、導体層ＳＬ１の表面に別の導体層を２層形成して４層構造としても良い。
【００４４】
さらに、前述の実施形態と各変形例では、本発明を積層コンデンサに適用したものを示したものを、積層インダクタや積層バリスタ等の他の積層型電子部品に本発明を適用しても、前記同様の効果を得ることができる。
【符号の説明】
【００４５】
１１…コンデンサ本体、Ｃ１〜Ｃ８…第１の角〜第８の角、１１ａ…内部電極層、１２，１２-1，１２-2，１２-3，１２-4…第１外部電極、１２ａ…主電極部、１２ｂ…第１回り込み部、１２ｃ…第２回り込み部、１２ｄ…端面部、１３，１３-1，１３-2，１３-3，１３-4…第２外部電極、１３ａ…主電極部、１３ｂ…第１回り込み部、１３ｃ…第２回り込み部、１３ｄ…端面部、ＭＲ１〜ＭＲ４…第１の余白領域〜第４の余白領域、Ｄｍｒ…離隔寸法、ＧＬ１…第１下地層、ＧＬ２…第２下地層、ＣＬ…導体層。
【図１】
2016086105.tif 000003
【図２】
2016086105.tif 000004
【図３】
2016086105.tif 000005
【図４】
2016086105.tif 000006
【図５】
2016086105.tif 000007
【図６】
2016086105.tif 000008
【図７】
2016086105.tif 000009
【図８】
2016086105.tif 000010
【図９】
2016086105.tif 000011
【図１０】
2016086105.tif 000012